(57)【要約】【課題】口部のサイズの異なるペットボトルであってもノズル装置を簡単且つ確実に連結可能な携帯用局部洗浄器を提供する。【解決手段】ペットボトルＰの口部Ｐ１に、当該ペットボトルＰ内に貯留された貯留水Ｗを通水管Ｑ１を介して噴水するノズル装置Ｑを装着してなる携帯用局部洗浄器において、  前記ペットボトルＰの口部Ｐ１に形成されたネジ部Ｐ２と螺合可能なネジ溝１１を一方に形成し、他方には、前記ノズル装置Ｑの被連結部Ｑ２に連結可能な連結部１２を形成した通水可能なアダプター部材１を介して、前記ペットボトルＰの口部Ｐ１と前記ノズル装置Ｑを連結する構造にしたことを特徴とする。【選択図】図１
2008284014.tif 000002
【特許請求の範囲】
【請求項１】
ペットボトルの口部に、当該ペットボトル内に貯留された貯留水を通水管を介して噴水するノズル装置を装着してなる携帯用局部洗浄器において、
前記ペットボトルの口部に形成されたネジ部と螺合可能なネジ溝を一方に形成し、他方には、前記ノズル装置の被連結部に連結可能な連結部を形成した通水可能なアダプター部材を介して、前記ペットボトルの口部と前記ノズル装置を連結する構造にしたことを特徴とする携帯用局部洗浄器。
【請求項２】
請求項１において、
連結部は、アダプター部材の他方に形成した外ネジ筒部であり、被連結部は、ノズル装置の基部に形成した内ネジ筒部であり、且つ、前記外ネジ筒部と内ネジ筒部を連結可能にしてなる携帯用局部洗浄器。
【請求項３】
請求項１において、
連結部は、アダプター部材の他方に形成した内ネジ筒部であり、被連結部は、ノズル装置の基部に形成した外ネジ筒部であり、且つ、前記内ネジ筒部と外ネジ筒部を連結可能にしてなる携帯用局部洗浄器。
【請求項４】
請求項１において、
連結部又は被連結部の一方には弾性部を備え、他方には、前記弾性部を弾着可能な弾性受部を設けてなる携帯用局部洗浄器。
【請求項５】
請求項１〜４の何れかにおいて、
複数種のアダプター部材を備えてなる携帯用局部洗浄器。
【発明の詳細な説明】
【技術分野】
【０００１】
本発明は、用便後の局部を洗浄するための携帯用局部洗浄器に関し、詳しくは、ペットボトルを使用して上記局部を洗浄することを可能にした携帯用局部洗浄器に関する。
【背景技術】
【０００２】
用便後に局部の洗浄が可能なウォシュレット式便器は、一般家庭でも多く使用されているが、旅行先や公衆トイレ等には、前記ウォシュレット式便器が設置されていない場合が多く、また、地震等の災害時では、停電や給水の停止によって、ウォシュレット式便器であっても使用できないこともある。
【０００３】
そのため、近年では、トイレ内にウォシュレット式便器が無くても、用便後の局部を洗浄可能なものとして、携帯用局部洗浄器が開発されている。
【０００４】
このような携帯用局部洗浄器としては、例えば、洗浄水が貯留された持ち運び可能な貯留タンクと、この貯留タンク内の貯留水を外部にまで誘導する噴水管と、この噴水管の先端に設けられ、前記局部に向けて噴水可能なノズル部とを備え、乾電池等の電力によりポンプを駆動させて、前記貯留タンク内の洗浄水をノズル部から噴水させて、局部の洗浄を行う電動式の携帯用局部洗浄器があった（例えば、特許文献１参照。）。
【０００５】
また、前記貯留タンクを外部から手で押圧することで、内部の貯留水をノズル部から噴水させ、局部の洗浄を行う手動式の携帯用局部洗浄器も提案されている（例えば、特許文献２参照。）。
【０００６】
しかしながら、これらの携帯用局部洗浄器では、専用の貯留タンクと、これに付設された噴水管及びノズル部が一体化されたものを予め携帯して用意しておかなければ、これを使用することはできず、不便である。
【０００７】
一方、ペットボトルは、その中身が無くなれば、殆どが廃棄処分されるが、その廃棄される量が多いため、ゴミ問題の一つになっている。
【０００８】
そのため、本出願人等は、かかる課題を解決すべく、専用の貯留タンクを携帯する必要がなく、廃棄されるペットボトルを貯留タンクとして利用し、このペットボトルに連結可能な携帯用局部洗浄器を開発し、既に出願している（例えば、特許文献３参照。）。
【特許文献１】特開平７−２５５６３６号
【特許文献２】特開２００２−１４３０３２号
【特許文献３】特開２００６−３０５０６７号
【発明の開示】
【発明が解決しようとする課題】
【０００９】
この携帯用局部洗浄器によれば、廃棄されるペットボトルの再利用を図り、ゴミ問題をも軽減できると好評を得ているが、しかしこの携帯用局部洗浄器には、以下の問題があった。
【００１０】
すなわち、各メーカーから販売されている飲料物に使用されているペットボトルの口部の口径、高さ等は、同一ではなく、各メーカー毎に微妙にサイズが異なっているため、本出願人等が開発した前記携帯用局部洗浄器では、前記口部のサイズの異なるペットボトルをノズル装置に上手く連結できないという問題があった。
【００１１】
本発明は、かかる課題を解決することを目的とするもので、口部のサイズの異なるペットボトルであってもノズル装置を簡単且つ確実に連結可能な携帯用局部洗浄器を提供する。
【課題を解決するための手段】
【００１２】
上記目的を達成するため、
請求項１に係る携帯用局部洗浄器は、ペットボトルの口部に、当該ペットボトル内に貯留された貯留水を通水管を介して噴水するノズル装置を装着してなる携帯用局部洗浄器において、前記ペットボトルの口部に形成されたネジ部と螺合可能なネジ溝を一方に形成し、他方には、前記ノズル装置の被連結部に連結可能な連結部を形成した通水可能なアダプター部材を介して、前記ペットボトルの口部と前記ノズル装置を連結する構造にしたことを特徴とする。
【００１３】
請求項２に係る携帯用局部洗浄器は、請求項１において、連結部は、アダプター部材の他方に形成した外ネジ筒部であり、被連結部は、ノズル装置の基部に形成した内ネジ筒部であり、且つ、前記外ネジ筒部と内ネジ筒部を連結可能にしてなる。
【００１４】
請求項３に係る携帯用局部洗浄器は、請求項１において、連結部は、アダプター部材の他方に形成した内ネジ筒部であり、被連結部は、ノズル装置の基部に形成した外ネジ筒部であり、且つ、前記内ネジ筒部と外ネジ筒部を連結可能にしてなる。
【００１５】
請求項４に係る携帯用局部洗浄器は、請求項１において、連結部又は被連結部の一方には弾性部を備え、他方には、前記弾性部を弾着可能な弾性受部を設けてなる。
【００１６】
請求項５に係る携帯用局部洗浄器は、請求項１〜４の何れかにおいて、複数種のアダプター部材を備えてなる。
【発明の効果】
【００１７】
本発明によれば、次のような効果がある。
請求項１に係る携帯用局部洗浄器によれば、ペットボトルの口部がノズル装置の被連結部に直接連結できる場合には、当該ペットボトルを前記口部に直接連結して使用することができ、また、ペットボトルの口部がノズル装置の被連結部に合わずに直接連結できない場合には、前記口部のネジ部と螺合可能なネジ溝を一方に形成したアダプター部材を介して、前記ペットボトルとノズル装置を連結すれば、両者を簡単且つ確実に連結できる。
【００１８】
請求項２、３に係る携帯用局部洗浄器によれば、ペットボトルの口部がノズル装置の被連結部に直接連結できない場合には、前記ペットボトルの口部に螺合可能なネジ溝を一方に形成し、他方に、前記ノズル装置の被連結部に連結可能な連結部を形成した通水可能なアダプター部材を予め用意しておけば、該アダプター部材を介して前記ペットボトルとノズル装置を簡単且つ確実に連結できる。
【００１９】
請求項４に係る携帯用局部洗浄器によれば、連結部又は被連結部の一方には弾性部を備え、他方には、前記弾性部を弾着可能な弾性受部を設けてなるため、ペットボトルの口部に螺合して取り付けたアダプター部材を、前記被連結部に差し込むだけのワンタッチ操作で、前記ペットボトルとノズル装置を更に簡単に連結できる。
【００２０】
請求項５に係る携帯用局部洗浄器によれば、複数種のアダプター部材を備えてなるため、ペットボトルの口部のサイズに対応するアダプター部材を予め用意しておかなくても、複数種のアダプター部材の中から対応するアダプター部材を選択するだけで、使用するペットボトルを前記ノズル装置に簡単且つ確実に連結できる。
【発明を実施するための最良の形態】
【００２１】
以下、本発明に係る携帯用局部洗浄器Åを図面とともに説明する。
【実施例１】
【００２２】
図１は、本発明に係る携帯用局部洗浄器Ａの一実施例を概略した全体斜視図、図２及び図３は、図１の点線部分の構造を拡大した要部の分解斜視図である。
【００２３】
この携帯用局部洗浄器Ａは、ペットボトルＰの口部Ｐ１に、当該ペットボトルＰ内に貯留された貯留水Ｗを通水管Ｑ１を介して噴水するノズル装置Ｑを装着してなるものであって、ペットボトルＰの口部Ｐ１に形成されたネジ部Ｐ２と螺合可能なネジ溝１１を一方に形成し、他方には、ノズル装置Ｑの基部に設けた被連結部Ｑ２と連結可能な連結部１２を形成した通水可能なアダプター部材１を介して、ペットボトルＰの口部Ｐ１とノズル装置Ｑを連結する構造にしたことを特徴とする。
【００２４】
以下、具体例を示して説明する。
【００２５】
例えば、図２で示した携帯用局部洗浄器Ａは、ペットボトルＰの口部Ｐ１をノズル装置Ｑに直接連結できる構造として、ノズル装置Ｑの基部には、被連結部Ｑ２として内ネジ筒部を形成したものである。
【００２６】
このような被連結部Ｑ２として内ネジ筒部を形成すれば、アダプター部材１を使用せずに、ペットボトルＰの口部Ｐ１をそのまま被連結部Ｑ２に螺合して、ペットボトルＰをノズル装置Ｑに直接連結すれば良い。
【００２７】
しかし、ペットボトルＰの口部Ｐ１のサイズによっては、ペットボトルＰの口部Ｐ１をノズル装置Ｑに直接連結できない場合がある。
【００２８】
このような場合には、ペットボトルＰの口部Ｐ１に形成されたネジ部Ｐ２と螺合可能なネジ溝１１を一方に形成し、他方には、ノズル装置Ｑの被連結部Ｑ２である前記内ネジ筒部に連結可能な外ネジ筒部を形成した連結部１２を他方に形成した通水可能なアダプター部材１を介して、ペットボトルＰをノズル装置Ｑに連結するのである。
【００２９】
ここでのアダプター部材１は、筒状に形成して内部を通水可能にすると共に、一端と他端との口径を変えて一体形成したものである。
【００３０】
このような本発明の携帯用局部洗浄器によれば、ペットボトルＰの口部Ｐ１がノズル装置Ｑの基部に設けた被連結部Ｑ２と直接連結できる場合には、当該ペットボトルＰを口部Ｐ１に直接連結して使用することができ、また、ペットボトルＰの口部Ｐ１がノズル装置Ｑの被連結部Ｑ２に合わずに直接連結できない場合には、アダプター部材１を介して、これらペットボトルＰとノズル装置Ｑを簡単且つ確実に連結できるのである。
【００３１】
又、図３で示した携帯用局部洗浄器Ａは、ノズル装置Ｑの被連結部Ｑ２が外ネジ筒部の構造を採る場合を示したものである。
【００３２】
この図３で示すように、ノズル装置Ｑの被連結部Ｑ２が外ネジ筒部を採る場合には、ペットボトルＰをノズル装置Ｑに直接連結することはできないため、アダプター部材１として、一方にペットボトルＰの口部Ｐ１に形成されたネジ部Ｐ２と螺合可能なネジ溝１１を形成し、他方に前記外ネジ筒部に連結可能な内ネジ筒部１２ａを形成し、これら内ネジ筒部と外ネジ筒部を連結可能にすることも可能である。
【００３３】
もっとも、このような被連結部Ｑ２が外ネジ筒部を採る場合には、ペットボトルＰの口部Ｐ１とノズル装置Ｑの前記外ネジ筒部に対応したアダプター部材１を予め用意しておく必要がある。
【００３４】
只、被連結部Ｑ２を外ネジ筒部に形成することで、図３で示すように、例えば、前記外ネジ筒部の内部に通水管Ｑ１及び逆止弁Ｑ４を設けたゴムパッキン等の弾性部材Ｑ３を内装することができ、アダプター部材１を介してペットボトルＰとノズル装置Ｑを連結した際、口部Ｐ１からの漏水を確実に防止できる点で効果がある。
【００３５】
図４（ａ）、（ｂ）は、図１〜図３で示したアダプター部材１と被連結部Ｑ２との他の実施例を示した概略断面図である。
【００３６】
ここで、図１〜３と共通する部材には、同一の符号を付し、以下では、本実施例の特徴についてのみ説明する。
【００３７】
この図４では、図１〜図３で示した連結部１２又は被連結部Ｑ２の一方に弾性部を備え、他方には、前記弾性部を弾着可能な弾性受部を設けたものを示している。
【００３８】
具体的には、図４（ａ）は、ペットボトルＰの口部Ｐ１に螺合可能なネジ溝１１が一方に形成されたアダプター部材１の他方に、筒状の弾性部２を突設すると共に、この弾性部２を弾着可能な弾性受部を被連結部Ｑ２に形成したものである。
【００３９】
ここで、弾着可能とは、押圧しながら嵌め込めば、簡単に抜け外れない状態にできる構造を意味する。
【００４０】
例えば、弾性部２として、連結部１２をゴム製筒で形成すると共に、このゴム製筒を嵌合する柱状穴を被連結部Ｑ２として開設したり、或いは、図４（ａ）で示すように、筒状の弾性部２の適所に鍔２１を形成すると共に、この弾性部２を嵌合する前記柱状穴の側壁適所に環状の凸条Ｑ２１を形成した被連結部Ｑ２を形成すれば、ペットボトルＰの口部Ｐ１に螺合して取り付けたアダプター部材１の弾性部２を、被連結部Ｑ２に差し込むだけのワンタッチ操作で、ペットボトルＰとノズル装置Ｑを簡単に連結できる。
【００４１】
なお、図４（ｂ）は、図４（ａ）で示した弾性部２と被連結部Ｑ２との凹凸関係を逆側に形成したものを例示したものであり、図４（ａ）と同様の効果を得ることができることは当然である。
【００４２】
また、本発明では、図１〜図４で示したアダプター部材１として、口部Ｐ１の大きさ等が異なる数種類のペットボトルＰのサイズに適用可能な複数種のアダプター部材１を備えておくことも可能であり、このような複数種のアダプター部材１をセットとして備えておけば、ペットボトルＰの口部Ｐ１のサイズに対応するアダプター部材１を予め用意しておかなくても、複数種のアダプター部材１・・・の中から対応するアダプター部材１を選択するだけで、使用するペットボトルＰをノズル装置Ｑに簡単且つ確実に連結できる。
【図面の簡単な説明】
【００４３】
【図１】本発明に係る携帯用局部洗浄器Ａの一実施例を概略した全体斜視図である。
【図２】図１の点線部分の構造の一例（連結部が内ネジ筒部）を拡大した要部の分解斜視図である。
【図３】図１の点線部分の構造の一例（連結部が外ネジ筒部）を拡大した要部の分解斜視図である。
【図４】（ａ）、（ｂ）は、図１〜図３で示したアダプター部材１と被連結部Ｑ２との他の実施例を示した概略断面図である。
【符号の説明】
【００４４】
Ａ    携帯用局部洗浄器
Ｐ    ペットボトル
Ｐ１  口部
Ｐ２  ネジ部
Ｑ    ノズル装置
Ｑ１  通水管
Ｑ２  被連結部
Ｑ２１弾性受部
Ｗ    貯留水
１    アダプター部材
１１  ネジ溝
１２  連結部
２    弾性部
【図１】
2008284014.tif 000003
【図２】
2008284014.tif 000004
【図３】
2008284014.tif 000005
【図４】
2008284014.tif 000006